(57)【要約】【課題】被検者の健康状態を推定する際の利便性を高めた測定装置、測定方法、及び測定プログラムを提供する。【解決手段】測定装置は、第１測定部と、制御部と、を備える。第１測定部は、被検者の経皮的動脈血酸素飽和度（ＳｐＯ２）及び血流量の少なくとも一方を測定する。制御部は、ＳｐＯ２の測定値及び血流量の測定値の少なくとも一方を含む情報に基づいて、被検者の健康状態に関する推定を行う。【選択図】図１
2019217151.tif 000002
【特許請求の範囲】
【請求項１】
被検者の経皮的動脈血酸素飽和度（ＳｐＯ２）及び血流量の少なくとも一方を測定する第１測定部と、
前記ＳｐＯ２の測定値及び前記血流量の測定値の少なくとも一方を含む情報に基づいて、前記被検者の健康状態に関する推定を行う制御部と、
を備える測定装置。
【請求項２】
前記被検者の体温を測定する第２測定部を備え、
前記制御部は、前記体温の測定値を含む情報に基づいて、前記被検者の健康状態に関する推定を行う、
請求項１に記載の測定装置。
【請求項３】
前記制御部は、前記ＳｐＯ２の測定値及び前記血流量の測定値の少なくとも一方に基づいて前記被検者の呼吸数を算出し、当該呼吸数を含む情報に基づいて前記被検者の健康状態に関する推定を行う、請求項１又は２に記載の測定装置。
【請求項４】
前記制御部は、前記ＳｐＯ２の測定値及び前記血流量の測定値の少なくとも一方に基づいて前記被検者の灌流指標（Perfusion Index（ＰＩ））を算出し、当該ＰＩを含む情報に基づいて前記被検者の健康状態に関する推定を行う、請求項１から３のいずれかに記載の測定装置。
【請求項５】
前記制御部による推定の結果を報知する報知部を備える、請求項１から４のいずれかに記載の測定装置。
【請求項６】
前記制御部は、前記ＳｐＯ２の測定値、前記血流量の測定値、前記体温の測定値、前記呼吸数の算出値、及び前記ＰＩの算出値の少なくともいずれかが、それぞれに対応する所定値よりも低下したら、前記被検者の健康状態に関する推定を前記報知部が報知するように制御する、請求項５に記載の測定装置。
【請求項７】
前記制御部は、前記被検者のチアノーゼに関する推定を行う、請求項１から６のいずれかに記載の測定装置。
【請求項８】
被検者の経皮的動脈血酸素飽和度（ＳｐＯ２）及び血流量の少なくとも一方を測定する測定ステップと、
前記ＳｐＯ２の測定値及び前記血流量の測定値の少なくとも一方を含む情報に基づいて、前記被検者の健康状態に関する推定を行う推定ステップと、
を含む測定方法。
【請求項９】
コンピュータに、
被検者の経皮的動脈血酸素飽和度（ＳｐＯ２）及び血流量の少なくとも一方を測定する測定ステップと、
前記ＳｐＯ２の測定値及び前記血流量の測定値の少なくとも一方を含む情報に基づいて、前記被検者の健康状態に関する推定を行う推定ステップと、
を実行させる測定プログラム。
【発明の詳細な説明】
【技術分野】
【０００１】
本開示は、測定装置、測定方法、及び測定プログラムに関する。
【背景技術】
【０００２】
従来、人体に装着して生体情報を測定する測定装置が知られている。例えば特許文献１には、耳に装着して生体情報を検出し、検出した生体情報に基づいて血流状態値を算出する耳装着型装置が開示されている。
【先行技術文献】
【特許文献】
【０００３】
【特許文献１】特開２００５−１９２５８１号公報
【発明の概要】
【発明が解決しようとする課題】
【０００４】
従来の測定装置を用いて生体情報を測定する場合、測定対象となる生体情報に応じて、異なる測定装置を使用する必要があった。そのため、測定対象となる生体情報の測定順序に沿って、複数の測定装置を順に装着する必要があり、利便性が必ずしも高くなかった。このような測定装置において、被検者の健康状態を推定する際の利便性を高めることが望ましい。
【０００５】
本開示は、被検者の健康状態を推定する際の利便性を高めた測定装置、測定方法、及び測定プログラムを提供することに関する。
【課題を解決するための手段】
【０００６】
測定装置の一態様は、第１測定部と、制御部と、を備える。
前記第１測定部は、被検者の経皮的動脈血酸素飽和度（ＳｐＯ２）及び血流量の少なくとも一方を測定する。
前記制御部は、前記ＳｐＯ２の測定値及び前記血流量の測定値の少なくとも一方を含む情報に基づいて、前記被検者の健康状態に関する推定を行う。
【０００７】
測定方法の一態様は、測定ステップと、推定ステップと、を含む。
前記測定ステップは、被検者の経皮的動脈血酸素飽和度（ＳｐＯ２）及び血流量の少なくとも一方を測定する。
前記推定ステップは、前記ＳｐＯ２の測定値及び前記血流量の測定値の少なくとも一方を含む情報に基づいて、前記被検者の健康状態に関する推定を行う。
【０００８】
測定プログラムの一態様は、コンピュータに、以下のステップを実行させる。
（１）被検者の経皮的動脈血酸素飽和度（ＳｐＯ２）及び血流量の少なくとも一方を測定する測定ステップ
（２）前記ＳｐＯ２の測定値及び前記血流量の測定値の少なくとも一方を含む情報に基づいて、前記被検者の健康状態に関する推定を行う推定ステップ
【発明の効果】
【０００９】
本開示によれば、被検者の健康状態を推定する際の利便性を高めた測定装置、測定方法、及び測定プログラムを提供することができる。
【図面の簡単な説明】
【００１０】
【図１】第１実施形態に係る測定装置の概略構成を示す機能ブロック図である。
【図２】図１の測定装置の使用状態の一例について説明するための模式図である。
【図３】図１の制御部が実行する処理の一例を示すフローチャートである。
【図４】第２実施形態に係る測定装置の概略構成を示す機能ブロック図である。
【図５】図４の測定装置の使用状態の一例について説明するための模式図である。
【図６】第３実施形態に係る測定システムの概略構成を示す機能ブロック図である。
【図７】図６の測定システム３００による制御手順の一例を示すシーケンス図である。
【図８】脳血流計の一例を模式的に示す図である。
【図９】血圧計の一例を模式的に示す図である。
【図１０】体温計の一例を模式的に示す図である。
【図１１】こめかみを被検部位とする測定装置を備える測定器具の装着状態の一例を模式的に示す図である。
【図１２】図１１に示す測定器具の部分断面図である。
【図１３】他の実施形態に係る測定器具の概略的な外観斜視図である。
【図１４】図１３の測定器具を異なる方向から見た場合における概略的な外観斜視図である。
【図１５】図１３の測定器具のコネクタに生体センサが接続された状態を示す概略的な外観斜視図である。
【図１６】図１３の測定器具を装着した状態の一例を示す概略図である。
【図１７】他の実施形態に係る測定器具を装着した状態の一例を示す概略図である。
【００１１】
以下、実施形態について、図面を参照して詳細に説明する。
【００１２】
（第１実施形態）
図１は、第１実施形態に係る測定装置１００の概略構成を示す機能ブロック図である。本実施形態に係る測定装置１００は、第１測定部を構成する生体センサ１１０と、第２測定部を構成する温度センサ１４０と、制御部１５０と、報知部１６０と、記憶部１７０と、を備える。
【００１３】
測定装置１００は、生体センサ１１０及び温度センサ１４０の少なくとも一方を使用して、測定装置１００に接触する被検者（ユーザ）の生体測定出力を取得し、生体測定出力に基づいて生体情報を測定する。本実施形態に係る測定装置１００は、生体センサ１１０を用いて、被検者の酸素飽和度及び血流量の少なくとも一方を測定できる。また、本実施形態に係る測定装置１００は、温度センサ１４０を用いて、被検者の所定の部位の温度（例えば体温）を測定できる。
【００１４】
本実施形態に係る測定装置１００は、被検者の酸素飽和度を示す値として、例えば経皮的動脈血酸素飽和度（ＳｐＯ２、Ｓ：Saturation（サチュレーション・飽和度）、Ｐ：Percutaneous（経皮的）もしくはPulse Oximetry（パルスオキシメータ）、Ｏ２：Oxygen（酸素））を測定できる。ただし、測定装置１００が測定する生体情報は、必ずしもＳｐＯ２及び血流量に限られない。測定装置１００は、生体センサ１１０を使用して測定可能な任意の生体情報を測定してもよい。以下、本明細書では、経皮的動脈血酸素飽和度（ＳｐＯ２）を単に酸素飽和度とも称する。なお、酸素飽和度を示す値として、ＳａＯ２（Ｓ：Saturation（飽和度）、ａ：artery（動脈）、Ｏ２：Oxygen（酸素））があり、動脈血の酸素飽和度の実測値を示す。そして、ＳｐＯ２は間接的にＳａＯ２を測定する方法であり、測定条件が整っていれば、両者は近似値を取る。
【００１５】
第１測定部を構成する生体センサ１１０は、測定装置１００に接触する被検者の被検部位から、生体測定出力を取得する。被検部位は、生体測定出力を取得可能な任意の部位であり、本実施形態では、指であるとして、以下説明する。なお、被検部位は指に代え、又は指とともに、手首、腕、耳、額、首、背中及び足その他の部位又はこれらを任意に組み合わせた部位であってもよい。生体センサ１１０は、発光部と受光部とを備える。本実施形態において、生体センサ１１０は、発光部として、第１レーザ光源１２１及び第２レーザ光源１２２を備える。本実施形態において、生体センサ１１０は、受光部として、第１受光部１３１及び第２受光部１３２を備える。
【００１６】
第１レーザ光源１２１及び第２レーザ光源１２２は、血液中に含まれる所定の成分を検出可能な波長のレーザ光を測定光として射出する。第１レーザ光源１２１及び第２レーザ光源１２２は、例えばそれぞれＬＤ（レーザダイオード：Ｌａｓｅｒ  Ｄｉｏｄｅ）により構成される。なお、本実施形態で利用されるレーザ光源として、垂直共振器型面発光レーザ（ＶＣＳＥＬ：vertical cavity surface emitting laser）を用いるが、その他、分布帰還型レーザ（ＤＦＢ：Distributed Feedback ）、ファブリペロー型レーザ（ＦＰ：Fabry-Perot)を用いることができる。
【００１７】
第１レーザ光源１２１及び第２レーザ光源１２２は、それぞれ異なる波長のレーザ光を射出する。第１レーザ光源１２１は、第１波長のレーザ光（以下「第１レーザ光」とも称する）を射出する。第１波長は、酸素と結合したヘモグロビン（以下「酸素化ヘモグロビン」とも称する）の吸光度と、酸素と結合していないヘモグロビン（以下「還元ヘモグロビン」とも称する）の吸光度との差分が大きい波長である。第１波長は、例えば６００ｎｍから７００ｎｍの波長であり、第１レーザ光は、いわゆる赤色光である。本実施形態では、第１波長が６６０ｎｍであるとして以下説明する。第２レーザ光源１２２は、第２波長のレーザ光（以下「第２レーザ光」とも称する）を射出する。第２波長は、第１波長と異なる波長である。第２波長は、第１の波長と比べて、酸素化へモグロビンの吸光度と還元ヘモグロビンの吸光度との差分が小さい波長である。第２波長は、例えば８００ｎｍから１０００ｎｍの波長であり、第２レーザ光は、いわゆる近赤外光である。本実施形態では、第２波長が８５０ｎｍであるとして以下説明する。
【００１８】
第１受光部１３１及び第２受光部１３２は、生体測定出力として、被検部位に照射された測定光の、被検部位から散乱される散乱光（検出光）を受光する。第１受光部１３１及び第２受光部１３２は、例えばそれぞれＰＤ（フォトダイオード：Ｐｈｏｔｏ  Ｄｉｏｄｅ）により構成される。生体センサ１１０は、第１受光部１３１及び第２受光部１３２において受光した散乱光の光電変換信号を制御部１５０に送信する。
【００１９】
図２は、測定装置１００における生体センサ１１０の使用状態の一例について説明するための模式図である。生体センサ１１０は、図２に模式的に示すように、被検者が生体センサ１１０における特定の位置（測定部）に被検部位を接触させた状態で、生体情報を測定する。生体センサ１１０は、被検者が生体センサ１１０における特定の位置（測定部）に被検部位を接触させていない状態で、生体情報を測定するとしてもよい。
【００２０】
図２に模式的に示すように、第１受光部１３１は、第１レーザ光源１２１が射出した第１レーザ光のうち、被検部位からの散乱光を受光する。第１受光部１３１は、第１レーザ光（赤色光）の散乱光の波長の光を検出可能なＰＤにより構成されていてよい。図２に模式的に示すように、第２受光部１３２は、第２レーザ光源１２２が射出した第２レーザ光のうち、被検部位からの散乱光を受光する。第２受光部１３２は、第２レーザ光（近赤外光）の散乱光の波長の光を検出可能なＰＤにより構成されていてよい。第１受光部１３１は、生体センサ１１０において、第１レーザ光源１２１が射出するレーザ光の散乱光を受光できる位置に配置される。また、第２受光部１３２は、生体センサ１１０において、第２レーザ光源１２２が射出するレーザ光の散乱光を受光できる位置に配置される。
【００２１】
ここで、第１レーザ光及び第２レーザ光と、これらの散乱光との関係について説明する。還元ヘモグロビンは、赤色光である第１レーザ光を吸収しやすく、近赤外光である第２レーザ光を吸収しにくい。これに対し、酸素化ヘモグロビンは、赤色光である第１レーザ光及び近赤外光である第２レーザ光とも、吸収しにくい。つまり、赤色光である第１レーザ光は、還元ヘモグロビンに吸収されやすく、酸素化ヘモグロビンに吸収されにくい。また、近赤外光である第２レーザ光は、還元ヘモグロビン及び酸素化ヘモグロビンに吸収されにくい。
【００２２】
従って、第１レーザ光は、主として還元ヘモグロビンにより吸収され、酸素化ヘモグロビンにより散乱される。そのため、第１受光部１３１が受光する、生体測定出力としての、第１レーザ光の散乱光の受光強度は、酸素化ヘモグロビンの量に起因するものである。一方、第２レーザ光は、還元ヘモグロビン及び酸素化ヘモグロビンにより散乱される。そのため、第２受光部１３２が受光する、生体測定出力としての、第２レーザ光の散乱光の受光強度は、還元ヘモグロビン及び酸素化ヘモグロビンを含むヘモグロビン全体の量に起因するものである。
【００２３】
第２測定部を構成する温度センサ１４０は、例えばサーミスタを含めて構成してよい。この場合、温度センサ１４０は、当該サーミスタにより被検者の体温を測定できる。温度センサ１４０として用いられるサーミスタは、例えば温度により抵抗値が変化するセラミックスの抵抗体として、従来知られた構成のものを採用することができる。このため、サーミスタについて、より詳細な説明は省略する。温度センサ１４０は、サーミスタを含めて構成されるものに限定されず、温度を検出することができれば任意の機能部を含めて構成してよい。この第２測定部を構成する温度センサ１４０は、例えば被験者の体温を測定する体温センサとしても機能するとしてもよい。
【００２４】
測定装置１００において、温度センサ１４０は、生体センサ１１０の筐体に内蔵されるように構成してもよいし、生体センサ１１０とは別体として構成してもよい。温度センサ１４０が生体センサ１１０とは別体として構成される場合、温度センサ１４０は、生体センサ１１０又は制御部１５０などに接続されるように構成してもよい。温度センサ１４０は、被検者の温度（例えば体温）を測定するのに好適な部位に接触することができるように、各種の構成とすることができる。
【００２５】
例えば、温度センサ１４０は、図２に示す生体センサ１１０の筐体に内蔵されてもよい。この場合、温度センサ１４０は、例えば、温度センサ１４０から突出する突起状に形成されていてよい。温度センサ１４０は、生体センサ１１０において、測定装置１００が被検者に装着された状態において、被検者の指先付近に接触するように結合されていてよい。ここで、温度センサ１４０が被検者の体温を測定する部位は、指先付近に代え、又は指先付近とともに、手首、腕、耳、額、首、背中及び足の付近その他の部位又はこれらを任意に組み合わせた部位であってもよい。温度センサ１４０が被検者の被検部位に接触する具体的な態様は、さらに後述する。
【００２６】
温度センサ１４０は、被検者の被検部位又は被検部位の周辺などに接触することにより、被検者の温度（例えば体温）を測定することができる。また、例えば、温度センサ１４０は、被検者の被検部位又は被検部位の周辺などに接触する温度検出部とは別に、被検者に接触しない環境温度を測定する温度検出部も備えてもよい。このように、温度センサ１４０が、被検者の体温と環境温度との双方を測定することにより、測定された被検者の体温に対する環境温度の影響を加味することができる。
【００２７】
温度センサ１４０は、測定された被検者の温度の情報を、制御部１５０に送信する。例えば、上述のように温度センサ１４０がサーミスタで構成される場合、サーミスタによって検出される抵抗値が制御部１５０に送信されてよい。この場合、制御部１５０は、送信された抵抗値に基づいて、温度を算出することができる。ここで、記憶部１７０は、検出された抵抗値と温度の値との対応を記憶してもよい。この場合、制御部１５０は、検出された抵抗値に対応する温度の値を、記憶部１７０から読み出すことができる。また、記憶部１７０は、検出された抵抗値と温度の値との関係を規定する計算式を記憶してもよい。この場合、制御部１５０は、記憶部１７０に記憶された計算式に従って、検出された抵抗値から温度の値を算出することができる。このようにして、制御部１５０は、温度センサ１４０からの出力に基づいて、被検者の所定の部位の温度（例えば体温）を測定できる。また、温度センサ１４０が自ら温度を測定又は算出できるようにしてもよい。この場合、制御部１５０は、温度センサ１４０が検出又は算出した温度の情報を取得してもよい。
【００２８】
再び図１を参照すると、制御部１５０は、測定装置１００の各機能ブロックをはじめとして、測定装置１００の全体を制御及び管理する少なくとも１つのプロセッサ１５１を含む。制御部１５０は、制御手順を規定したプログラムを実行するＣＰＵ（Ｃｅｎｔｒａｌ  Ｐｒｏｃｅｓｓｉｎｇ  Ｕｎｉｔ）等の少なくとも１つのプロセッサ１５１を含んで構成され、その機能を実現する。このようなプログラムは、例えば記憶部１７０、又は測定装置１００に接続された外部の記憶媒体等に格納される。
【００２９】
種々の実施形態によれば、少なくとも１つのプロセッサ１５１は、単一の集積回路（ＩＣ）として、又は複数の通信可能に接続された集積回路ＩＣ及び／又はディスクリート回路（ｄｉｓｃｒｅｔｅ  ｃｉｒｃｕｉｔｓ）として実行されてもよい。少なくとも１つのプロセッサ１５１は、種々の既知の技術に従って実行されることが可能である。
【００３０】
一実施形態において、プロセッサ１５１は、例えば、関連するメモリに記憶された指示を実行することによって１以上のデータ計算手続又は処理を実行するように構成された１以上の回路又はユニットを含む。他の実施形態において、プロセッサ１５１は、１以上のデータ計算手続き又は処理を実行するように構成されたファームウェア（例えば、ディスクリートロジックコンポーネント）であってもよい。
【００３１】
種々の実施形態によれば、プロセッサ１５１は、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組み合わせ、又は他の既知のデバイス若しくは構成の組み合わせを含み、以下に説明される制御部１５０としての機能を実行してもよい。
【００３２】
制御部１５０は、例えば、第１受光部１３１及び第２受光部１３２からの出力（つまり散乱光の光電変換信号）に基づいて、それぞれの血流量に関する値を算出してもよい。第１受光部１３１からの出力に基づく値を、第１の値と称し、第２受光部１３２からの出力に基づく値を、第２の値と称する。制御部１５０は、ドップラーシフトを利用して第１の値及び第２の値を算出できる。
【００３３】
ここで、制御部１５０による、ドップラーシフトを利用した第１の値及び第２の値の測定方法について説明する。制御部１５０は、第１の値及び第２の値を測定する際に、生体の組織内に発光部（すなわち第１レーザ光源１２１及び第２レーザ光源１２２）からレーザ光を射出し、受光部（すなわち第１受光部１３１及び第２受光部１３２）により生体の組織内から散乱された散乱光を受光する。そして、制御部１５０は、受光されたレーザ光の測定結果に基づいて第１の値及び第２の値を算出する。
【００３４】
生体の組織内において、動いている血球から散乱された散乱光は、血液中の血球の移動速度に比例したドップラー効果による周波数シフト（ドップラーシフト）を受ける。制御部１５０は、静止した組織からの散乱光と、動いている血球からの散乱光との光の干渉によって生じるうなり信号（ビート信号ともいう）を検出する。このうなり信号は、強度を時間の関数として表したものである。そして、制御部１５０は、このうなり信号を、パワーを周波数の関数として表したパワースペクトルにする。このうなり信号のパワースペクトルでは、ドップラーシフト周波数は血球の速度に比例し、パワーは血球の量に対応する。そして、制御部１５０は、うなり信号のパワースペクトルに周波数をかけて積分することにより第１の値及び第２の値を算出する。
【００３５】
制御部１５０は、Ｋを比例定数、Ｉ×Ｉを受光信号の強度の二乗平均、ｆを周波数、Ｐ（ｆ）をうなり信号のパワースペクトルとして、第１の値Ｐ１［ｍｌ／ｍｉｎ］を、例えば、Ｐ１＝Ｋ・∫ｆ・Ｐ（ｆ）ｄｆ／（Ｉ×Ｉ）として求めることができる。制御部１５０は、第１の値Ｐ１を、例えば、Ｐ１＝∫ｆ・Ｐ（ｆ）ｄｆ／（Ｉ×Ｉ）若しくはＰ１＝∫ｆ・Ｐ（ｆ）ｄｆとして求めるとしてもよい。つまり、制御部１５０は、第１の値Ｐ１を、Ｐ１＝Ｋ・∫ｆ・Ｐ（ｆ）ｄｆ／（Ｉ×Ｉ）、Ｐ１＝∫ｆ・Ｐ（ｆ）ｄｆ／（Ｉ×Ｉ）、又はＰ１＝∫ｆ・Ｐ（ｆ）ｄｆから任意のものを利用して求めるとしてもよい。第２の値Ｐ２についても同様である。すなわち、制御部１５０は、第２の値Ｐ２を、Ｐ２＝Ｋ・∫ｆ・Ｐ（ｆ）ｄｆ／（Ｉ×Ｉ）、Ｐ２＝∫ｆ・Ｐ（ｆ）ｄｆ／（Ｉ×Ｉ）、又はＰ２＝∫ｆ・Ｐ（ｆ）ｄｆから任意のものを利用して求めるとしてよい。
【００３６】
上述のように、第１受光部１３１からの出力は、血液中の酸素化ヘモグロビンの量に起因するものであるため、第１の値は、酸素化ヘモグロビンの流量に基づく値を示す。第２受光部１３２からの出力は、血液中のヘモグロビン全体の量に起因するものであるため、第２の値は、血液中のヘモグロビン全体の流量に基づく値を示す。血液中のヘモグロビン全体の流量に基づいて算出される値は、すなわち被検者の血流量であるため、第２の値は、被検者の血流量を示す。従って、制御部１５０は、第２の値を算出することにより、被検者の血流量を算出できる。このようにして、測定装置１００は、被検者の血流量を測定できる。
【００３７】
制御部１５０は、第１の値及び第２の値に基づいて、被検者のＳｐＯ２を算出する。この場合、制御部１５０は、第２の値に対する第１の値の割合に基づいて、ＳｐＯ２を算出できる。
【００３８】
ここで、制御部１５０によるＳｐＯ２の算出方法の詳細について説明する。ＳｐＯ２は、酸素化ヘモグロビンの量をＨｂＯ２とし、還元ヘモグロビンの量をＨｂとした場合、｛ＨｂＯ２／（Ｈｂ＋ＨｂＯ２）｝×１００という数式により算出される（例えば特許文献１参照）。当該数式において、ＨｂＯ２は酸素化ヘモグロビンの量を示し、（Ｈｂ＋ＨｂＯ２）は酸素化ヘモグロビンと還元ヘモグロビンとの量の和を示す。そのため、本実施形態において、ＨｂＯ２は、酸素化ヘモグロビンの流量に基づいて算出される第１の値に対応付けることができ、（Ｈｂ＋ＨｂＯ２）は、血液中のヘモグロビン全体の流量に基づいて算出される第２の値に対応付けることができる。従って、上記数式において、ＨｂＯ２を第１の値に置き換え、（Ｈｂ＋ＨｂＯ２）を第２の値に置き換えた場合、ＳｐＯ２を示す指標は、例えば、（第１の値／第２の値）×１００という数式により算出することができる。本実施形態において、制御部１５０は、（第１の値／第２の値）×１００という数式を用いて、ＳｐＯ２を示す指標を算出する。このようにして制御部１５０がＳｐＯ２を示す指標を算出することにより、測定装置１００は、被検者のＳｐＯ２を測定できる。ここで、（第１の値／第２の値）×１００という数式により算出することができるのはＳｐＯ２を示す指標である。したがって、（第１の値／第２の値）×１００を、そのままＳｐＯ２であるとしてもよい。また、（第１の値／第２の値）の値に所定の重み付けの演算、例えば係数を乗ずる演算をして得られた値を、ＳｐＯ２であるとしてもよい。さらに、（第１の値／第２の値）の値をＳｐＯ２に変換するテーブルを用いて得られた値を、ＳｐＯ２であるとしてもよい。
【００３９】
上述のように、赤色光である第１レーザ光は、還元ヘモグロビンに吸収されやすく、酸素化ヘモグロビンに吸収されにくい。また、上述のように、近赤外光である第２レーザ光は、還元ヘモグロビン及び酸素化ヘモグロビンに吸収されにくい。このような性質を用いて、本開示において、制御部１５０は、第１レーザ光と第２レーザ光との血液に対する吸光度の違いに基づいて、ＳｐＯ２算出するとしてもよい。
【００４０】
制御部１５０は、さらに、算出した被検者の血流量及びＳｐＯ２に基づき、被検者が高山病（高度障害ともいう）になる可能性を推定してもよい。高山病は、ＳｐＯ２が低下したり、脱水傾向になったりすることにより、発症しやすくなる。被検者が脱水傾向にある場合、血液中の水分が不足し、血流が悪くなる（血流量が少なくなる）場合がある。制御部１５０は、血流量とＳｐＯ２との変化に基づいて、被検者が高山病になる可能性を推定できる。制御部１５０は、所定のアルゴリズムを用いて、例えば血流量とＳｐＯ２との重みづけを行うことにより、高山病になる可能性を推定してもよい。本実施形態に係る測定装置１００によれば、ＳｐＯ２と血流量とを測定できるため、ＳｐＯ２と血流量という２つの指標に基づいて、高山病になる可能性を推定できる。そのため、本実施形態に係る測定装置１００によれば、ＳｐＯ２のみから高山病になる可能性を推定する場合と比較して、高山病になる可能性の推定精度が高まる。
【００４１】
また、制御部１５０は、上述した被検者の血流量及びＳｐＯ２に基づく他に、温度センサ１４０が測定した温度にも基づき、被検者の健康状態に関する推定を行ってよい。さらに、制御部１５０は、例えば、被検者の健康状態に関する推定として、被検者のチアノーゼに関する推定を行ってもよい。
【００４２】
チアノーゼは、紫藍症とも呼ばれ、血液中の酸素が欠乏して、皮膚又は粘膜が紫藍色又は青紫色になることをいう。チアノーゼは、一般に、血液中の酸素濃度が低下した際に、爪床や口唇周囲に表れ易い。チアノーゼは、心臓病、肺炎、肺結核などによって生ずる他、局所の血行障害でも起り得るとされ、特に、四肢末端、口唇などに強く現れるとされる。チアノーゼは、皮膚又は粘膜の毛細血管内に、脱酸素化ヘモグロビン（デオキシヘモグロビン）量が、血液１００ｍｌあたり５ｇを超えた場合に出現するとされる。この割合は、酸素飽和度に換算すると、約６６％となる。赤血球数の増加があると、より高い酸素飽和度でチアノーゼが現れる。逆に、貧血があると、酸素飽和度がより低くてもチアノーゼは現れにくくなる。
【００４３】
例えば、上述した高山病の症状が進行すると、血液の中の酸素が欠乏して、チアノーゼの症状として、皮膚や粘膜が青黒くなることがある。このような状態が重度になると、肺気腫になるおそれがあるため、初期状態での検出が望まれる。そこで、一実施形態において、制御部１５０は、上述した血流量及びＳｐＯ２並びに温度センサ１４０により測定した被検者の温度の少なくともいずれかに基づいて、被検者の健康状態を推定してもよい。ここで、制御部１５０は、被検者の健康状態に関する推定として、被検者のチアノーゼに関する推定を行ってもよい。
【００４４】
上述のように、制御部１５０は、血流量とＳｐＯ２との変化に基づいて、被検者が高山病になる可能性を推定できる。一実施形態において、制御部１５０は、さらに被検者の体温の情報にも基づいて、被検者の健康状態に関する推定、例えば被検者のチアノーゼに関する推定を行ってよい。この場合、制御部１５０は、所定のアルゴリズムを用いて、例えば被検者の体温の測定値に所定の重みづけを行うことにより、被検者の健康状態を推定してもよい。本実施形態に係る測定装置１００によれば、ＳｐＯ２と血流量と体温とを測定できるため、これら３つの指標に基づいて、被検者の健康状態に関する推定、例えば被検者のチアノーゼに関する推定を行うことができる。そのため、本実施形態に係る測定装置１００によれば、ＳｐＯ２、血流量、及び体温のいずれかのみから被検者の健康状態に関する推定をする場合と比較して、被検者が例えばチアノーゼのような状態になる可能性の推定精度が高まる。
【００４５】
報知部１６０は、音、振動、及び画像等で情報を報知する。報知部１６０は、スピーカ、振動子、及び表示デバイスを備えていてもよい。表示デバイスは、例えば液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等とすることができる。報知部１６０は、例えば被検者のＳｐＯ２、血流量、及び体温の少なくともいずれかの測定結果を報知できる。また、報知部１６０は、被検者が例えばチアノーゼのような状態になる可能性に関する情報を報知してもよい。
【００４６】
記憶部１７０は、半導体メモリ又は磁気メモリ等で構成されることができる。記憶部１７０は、各種情報又は測定装置１００を動作させるためのプログラム等を記憶する。記憶部１７０は、ワークメモリとしても機能してもよい。記憶部１７０は、例えば、制御部１５０が算出した被検者のＳｐＯ２及び血流量を、履歴情報として記憶してよい。さらに、記憶部１７０は、例えば、制御部１５０が取得した被検者の温度も、履歴情報として記憶してよい。
【００４７】
また、記憶部１７０は、温度センサ１４０が検出した温度と被検者の体温との対応関係を記憶してもよい。具体的には、上述のように、例えばサーミスタである温度センサ１４０が検出した抵抗値と、被検者の体温のような温度の値との対応を記憶してもよい。また、記憶部１７０は、上述のように、例えばサーミスタである温度センサ１４０が検出した抵抗値と、被検者の体温のような温度の値との関係を規定する計算式を記憶してもよい
【００４８】
次に、測定装置１００の制御部１５０が行う処理の一例について、図３に示すフローチャートを参照して説明する。制御部１５０は、測定装置１００が起動された場合又は測定処理を開始するための所定の操作入力が行われた場合、図３に示すフローを繰り返して実行してよい。制御部１５０は、被検部位が測定部に接触しているか否かを検出可能な機能を備える場合には、被検部位が測定部に接触していると判断した場合に、図３に示すフローを実行してもよい。
【００４９】
図３に示すフローの動作が開始すると、まず、制御部１５０は、第１レーザ光源１２１から第１レーザ光を射出する（ステップＳ１０１）。
【００５０】
制御部１５０は、第２レーザ光源１２２から第２レーザ光を射出する（ステップＳ１０２）。
【００５１】
ステップＳ１０１及びＳ１０２における、第１レーザ光及び第２レーザ光の射出により、それぞれ第１受光部１３１及び第２受光部１３２は、被検部位からの散乱光を受光する。第１受光部１３１及び第２受光部１３２は、散乱光の光電変換信号を制御部１５０に送信する。
【００５２】
制御部１５０は、第１受光部１３１及び第２受光部１３２からの出力を取得する（ステップＳ１０３）。
【００５３】
制御部１５０は、第１受光部１３１から取得した出力に基づいて、第１の値を算出し、第２受光部１３２から取得した出力に基づいて、第２の値を算出する（ステップＳ１０４）。ステップＳ１０４で算出する第１の値及び第２の値は、上述のように、血流量に関する値である。
【００５４】
制御部１５０は、ステップＳ１０４で算出した第１の値及び第２の値に基づき、ＳｐＯ２に示す指標を算出し、このＳｐＯ２に示す指標からＳｐＯ２を算出する（ステップＳ１０５）。
【００５５】
制御部１５０は、温度センサ１４０から被検者の温度（体温）を検出する（ステップＳ１０６）。制御部１５０は、ステップＳ１０６のタイミングで温度センサ１４０によって温度を検出してもよい。また、制御部１５０は、温度センサ１４０が常に検出している温度の情報をステップＳ１０６のタイミングで取得してもよい。
【００５６】
制御部１５０は、ステップＳ１０４で算出した第１の値及び第２の値の少なくとも一方、ステップＳ１０５で算出したＳｐＯ２、並びにステップＳ１０６で検出した温度の少なくともいずれかに基づいて、被検者の健康状態を推定する（ステップＳ１０７）。ここで、第１の値及び第２の値の少なくとも一方とは、被検者の血流量を表す第２の値としてもよい。また、ステップＳ１０７において、制御部１５０は、被検者の健康状態に関する推定として、被検者のチアノーゼに関する推定を行ってもよい。
【００５７】
制御部１５０は、ステップＳ１０７で推定した結果の情報を、報知部１６０から報知する（ステップＳ１０８）。ステップＳ１０８において、制御部１５０は、例えば被検者のチアノーゼに関する推定の結果の情報を、報知部１６０から報知してもよい。
【００５８】
このように、本実施形態に係る測定装置１００は、第１測定部（例えば生体センサ１１０）と、制御部１５０とを備えてよい。また、本実施形態に係る測定装置１００は、第２測定部（例えば温度センサ１４０）を備えてもよい。ここで、第１測定部は、被検者の経皮的動脈血酸素飽和度（ＳｐＯ２）及び血流量の少なくとも一方を測定する。また、第２測定部は、被検者の体温を測定する。また、制御部１５０は、被検者のＳｐＯ２の測定値及び被検者の血流量の測定値の少なくとも一方を含む情報に基づいて、被検者の健康状態に関する推定を行う。さらに、制御部１５０は、被検者の体温の測定値を含む情報に基づいて、被検者の健康状態に関する推定を行ってもよい。また、被検者の健康状態に関する推定として、例えば被検者のチアノーゼに関する推定を行ってもよい。
【００５９】
また、このように、測定装置１００は、報知部１６０を備えてもよい。この場合、報知部１６０は、制御部１５０による推定の結果を報知する。
【００６０】
このように、測定装置１００では、被検者のチアノーゼのような健康状態に関する推定を、複数の検出結果を総合することにより行うことができる。したがって、測定装置１００によれば、複数の検出結果のそれぞれのみに基づいて被検者の健康状態に関する推定を行う場合に比べて、推定精度が向上する。このようにして、測定装置１００によれば、有用性が向上する。
【００６１】
また、測定装置１００によれば、血流量とＳｐＯ２と体温とを１つの装置で測定可能である。そのため、測定装置１００によれば、血流量とＳｐＯ２と体温とをそれぞれ別の装置で測定する必要がなく、被検者の健康状態を推定する際の利便性を高めることができる。
【００６２】
上述のステップＳ１０４及びステップＳ１０５では、制御部１５０は、被検者の血流量に関する値として第１の値及び第２の値を算出し、これらの値に基づいてＳｐＯ２を算出した。しかしながら、制御部１５０が算出する値は、上述の値に限定されず、各種の値とすることができる。
【００６３】
例えば、制御部１５０は、ＳｐＯ２の算出のみならず、第１受光部１３１及び／又は第２受光部１３２における受光強度の時間変化に基づき、被検者の脈拍数を算出できる。具体的には、制御部１５０は、受光強度の時間変化から受光強度の周期を算出することができ、当該周期に基づいて、単位時間当たりの脈拍数を算出することができる。さらに、制御部１５０は、第１受光部１３１及び／又は第２受光部１３２における受光強度の時間変化に基づき、被検者のＰＩ（Perfusion Index）の値を算出できる。ＰＩは、灌流指標ともよばれ、血流の非拍動成分に対する拍動成分の割合として表される。制御部１５０は、受光強度の時間変化から血流における非拍動成分に対する拍動成分の割合を算出することにより、ＰＩを算出できる。さらに、制御部１５０は、第１受光部１３１及び／又は第２受光部１３２における受光強度の時間変化に基づき、被検者の呼吸数を算出できる。例えば、制御部１５０は、第１受光部１３１及び／又は第２受光部１３２における受光強度の時間変化の低周波成分を抽出して呼吸数を算出してもよい。
【００６４】
このように、一実施形態では、制御部１５０は、上述の各値を算出してもよい。また、このように、一実施形態では、制御部１５０は、算出された上述の各値も加味した上で、被検者の健康状態に関する推定を行ってもよい。すなわち、制御部１５０は、例えば、被検者のＳｐＯ２の測定値及び被検者の血流量の測定値の少なくとも一方に基づいて、被検者の呼吸数を算出してもよい。この場合、制御部１５０は、上述の情報のみならず、被検者の呼吸数を含む情報に基づいて、被検者の健康状態に関する推定を行ってもよい。また、制御部１５０は、例えば、被検者のＳｐＯ２の測定値及び被検者の血流量の測定値の少なくとも一方に基づいて、被検者の灌流指標（Perfusion Index（ＰＩ））を算出してもよい。この場合、制御部１５０は、上述の情報のみならず、被検者のＰＩを含む情報に基づいて、被検者の健康状態に関する推定を行ってもよい。
【００６５】
また、制御部１５０は、前述の値の少なくともいずれかが、それぞれに対応する所定値よりも低下したら、被検者の健康状態に関する推定を報知部が報知するように制御してもよい。ここで、前述の値とは、被検者のＳｐＯ２の測定値、血流量の測定値、体温の測定値、呼吸数の算出値、及びＰＩの算出値としてよい。これらの値がある程度以上低下したら、被検者の健康状態が正常でない若しくは異常、又は低下していると判定するために、各値に対応した所定値を予め設定しておいてよい。このように、各値に対応して予め設定された所定値は、例えば記憶部１７０に記憶してよい。
【００６６】
このような実施形態によれば、より多くの検出結果を総合することにより、被検者のチアノーゼのような健康状態に関する推定を行うことができる。したがって、このような実施形態によれば、被検者の健康状態に関する推定の精度をさらに向上させることができる。したがって、このような実施形態によれば、有用性がさらに向上する。
【００６７】
（第２実施形態）
図４は、第２実施形態に係る測定装置２００の概略構成を示す機能ブロック図である。本実施形態に係る測定装置２００は、生体センサ２１０と、温度センサ２４０、制御部２５０と、報知部２６０と、記憶部２７０とを備える。
【００６８】
第１実施形態に係る測定装置１００では、生体センサ１１０が、第１受光部１３１及び第２受光部１３２という２つの受光部を備えるのに対し、第２実施形態に係る測定装置２００は、生体センサ２１０が受光部２３０を１つのみ備えるという点で、第１実施形態に係る測定装置１００と異なる。
【００６９】
すなわち、本実施形態において、生体センサ２１０は、第１レーザ光源２２１及び第２レーザ光源２２２という２つの発光部と、１つの受光部２３０とを備える。第１レーザ光源２２１及び第２レーザ光源２２２の機能は、それぞれ第１実施形態における第１レーザ光源１２１及び第２レーザ光源１２２と同様である。すなわち、第１レーザ光源２２１は第１レーザ光を射出し、第２レーザ光源２２２は第２レーザ光を射出する。第１レーザ光源２２１と第２レーザ光源２２２とは、それぞれ異なるタイミングで第１レーザ光及び第２レーザ光を射出する。第１レーザ光源２２１と第２レーザ光源２２２とは、例えば交互にレーザ光を出力する。すなわち、測定装置２００による測定処理において、第１レーザ光と第２レーザ光とが、例えば所定の時間ごとに、交互に被検部位に射出される。
【００７０】
受光部２３０は、例えば、第１レーザ光（赤色光）及び第２レーザ光（近赤外光）の双方の散乱光の波長の光を検出可能な、いわゆるマルチ周波数対応型のＰＤにより構成される。従って、受光部２３０は、第１レーザ光が被検部位に射出されているときは、第１レーザ光の散乱光を検出し、第２レーザ光が被検部位に射出されているときは、第２レーザ光の散乱光を検出する。生体センサ２１０は、受光部２３０が受光した散乱光の光電変換信号を制御部２５０に送信する。
【００７１】
図５は、測定装置２００における生体センサ２１０の使用状態の一例について説明するための模式図である。図５に模式的に示すように、受光部２３０は、第１レーザ光源２２１が射出した第１レーザ光のうち、被検部位からの散乱光を受光するとともに、第２レーザ光源２２２が射出した第２レーザ光のうち、被検部位からの散乱光を受光する。第１レーザ光と第２レーザ光とは、上述のように交互に射出されるため、受光部２３０は、それらの散乱光をそれぞれ交互に受光する。従って、図５では、第１レーザ光及び第２レーザ光、並びにこれらの散乱光が図示されているが、実際には、ある時点において、第１レーザ光又は第２レーザ光のいずれかが被検部位に射出され、受光部は、射出されているレーザ光の散乱光を受光する。受光部２３０は、生体センサ２１０において、第１レーザ光源２２１及び第２レーザ光源２２２が射出するレーザ光の散乱光を受光できる位置に配置される。
【００７２】
再び図４を参照すると、温度センサ２４０の機能は、第１実施形態の温度センサ１４０と同様であるため、ここでは詳細な説明を省略する。また、制御部２５０は、測定装置２００の各機能ブロックをはじめとして、測定装置２００の全体を制御及び管理する少なくとも１つのプロセッサ２５１を含む。制御部２５０及びプロセッサ２５１の機能は、それぞれ第１実施形態の制御部１５０及びプロセッサ１５１と同様であるため、ここでは詳細な説明を省略する。また、報知部２６０及び記憶部２７０の機能も、それぞれ第１実施形態の報知部１６０及び記憶部１７０と同様であるため、ここでは詳細な説明を省略する。
【００７３】
本実施形態に係る測定装置２００は、制御部２５０により、図３で説明したものと同様のフローにより、血流量及びＳｐＯ２並びに温度を測定し、被検者の健康状態に関する推定、例えばチアノーゼに関する推定を行う。本実施形態においては、制御部２５０は、ステップＳ１０３において、受光部２３０からの出力を取得する。制御部２５０は、取得した受光部２３０からの出力が、第１レーザの散乱光であるか第２レーザ光の散乱光であるかに応じて、ステップＳ１０４において、第１の値及び第２の値を算出する。
【００７４】
このように、本実施形態に係る測定装置２００も、レーザ光を被検部位に射出してＳｐＯ２を算出するため、例えば広波長帯域の光を用いる場合と比較して、ＳｐＯ２の測定精度が向上する。また、測定装置２００も、被検者のチアノーゼのような健康状態に関する推定を、複数の検出結果を総合することにより行うことができる。このようにして、測定装置２００によれば、有用性が向上するのみならず、被検者の健康状態を推定する際の利便性を高めることができる。さらに、本実施形態に係る測定装置２００は、マルチ周波数対応の１つの受光部２３０で第１レーザ光及び第２レーザ光の散乱光を受光できる。そのため、第１レーザ光及び第２レーザ光の散乱光をそれぞれ異なる２つの受光部で受光する場合と比較して、生体センサ２１０及び測定装置２００を小型化できる。
【００７５】
（第３実施形態）
図６は、第３実施形態に係る測定システム３００の概略構成を示す機能ブロック図である。測定システム３００は、測定装置４００と、情報処理装置５００と、端末装置６００とを備える。情報処理装置５００は、有線、無線、又は有線と無線との組合せにより、測定装置４００及び端末装置６００と通信可能に接続されている。また、測定装置４００と端末装置６００とが直接通信可能であってもよい。また、測定装置４００と、情報処理装置５００と、端末装置６００とを相互に接続するネットワークは、インターネットや無線ＬＡＮ等であってよい。
【００７６】
測定装置４００は、レーザ光を被検部位に射出することにより生体測定出力を測定する装置である。測定装置４００は、測定した生体測定出力に関する情報を、情報処理装置５００に送信してよい。
【００７７】
情報処理装置５００は、例えばコンピュータ等のサーバ装置として構成されることができる。情報処理装置５００は、測定装置４００から取得した生体測定出力に関する情報に基づき、被検者の血流量及びＳｐＯ２を算出してよい。また、情報処理装置５００は、測定装置４００において温度センサ４４０が検出した温度を取得してもよい。情報処理装置５００は、被検者の健康状態に関する推定、例えばチアノーゼに関する推定をしてもよい。情報処理装置５００は、血流量及びＳｐＯ２の算出結果並びに検出された温度、並びに推定した被検者の健康状態に関する推定の情報を、記憶してよい。情報処理装置５００は、血流量及びＳｐＯ２の算出結果並びに検出された温度、並びに推定した被検者の健康状態に関する推定の情報を、端末装置６００に送信してよい。
【００７８】
端末装置６００は、例えばパーソナルコンピュータ、スマートフォン又はタブレット等として構成されてよい。端末装置６００は、例えば、被検者が所有するものであってよい。端末装置６００は、情報処理装置５００から取得した血流量及びＳｐＯ２の算出結果並びに検出された温度、並びに推定した被検者の健康状態に関する推定の情報に基づき報知を行ってよい。
【００７９】
測定装置４００は、生体センサ４１０と、温度センサ４４０と、制御部４５０と、記憶部４７０と、通信部４８０とを備える。生体センサ４１０は、第１レーザ光源４２１と、第２レーザ光源４２２と、第１受光部４３１と、第２受光部４３２とを備える。第１レーザ光源４２１、第２レーザ光源４２２、第１受光部４３１及び第２受光部４３２の各機能は、それぞれ第１実施形態における第１レーザ光源１２１、第２レーザ光源１２２、第１受光部１３１及び第２受光部１３２と同様である。また、温度センサ４４０の機能は、第１実施形態の温度センサ１４０と同様である。本実施形態における測定装置４００は、第１実施形態における測定装置１００と同様にして、生体測定出力を取得できる。
【００８０】
制御部４５０は、測定装置４００の各機能ブロックをはじめとして、測定装置４００の全体を制御及び管理する少なくとも１つのプロセッサ４５１を含む。制御部４５０は、制御手順を規定したプログラムを実行するＣＰＵ等の少なくとも１つのプロセッサ４５１を含んで構成され、その機能を実現する。このようなプログラムは、例えば記憶部４７０、又は測定装置４００に接続された外部の記憶媒体等に格納される。プロセッサ４５１は、例えば第１実施形態で示したプロセッサ４５１と同様の構成であってよいため、ここでは詳細な説明を省略する。制御部４５０は、生体センサ４１０による生体測定出力の取得の制御を行い、取得した生体測定出力に関する情報を、通信部４８０を介して情報処理装置５００に送信する。
【００８１】
記憶部４７０は、半導体メモリ又は磁気メモリ等で構成されることができる。記憶部４７０は、各種情報や測定装置４００を動作させるためのプログラム等を記憶する。記憶部４７０は、ワークメモリとしても機能してもよい。記憶部４７０は、例えば、生体センサ４１０が取得した生体測定出力に関する情報（すなわち散乱光の受光強度及び／又は温度）等のデータを記憶してよい。
【００８２】
通信部４８０は、情報処理装置５００と有線通信若しくは無線通信、又は有線通信及び無線通信の組合せの通信を行うことにより、各種情報の送受信を行う。例えば、通信部５８０は、測定装置４００が測定した生体測定出力に関する情報を情報処理装置５００に送信する。
【００８３】
情報処理装置５００は、制御部５５０と、記憶部５７０と、通信部５８０とを備える。
【００８４】
制御部５５０は、情報処理装置５００の各機能ブロックをはじめとして、情報処理装置５００の全体を制御及び管理する少なくとも１つのプロセッサ５５１を含む。制御部５５０は、制御手順を規定したプログラムを実行するＣＰＵ等の少なくとも１つのプロセッサ５５１を含んで構成され、その機能を実現する。このようなプログラムは、例えば記憶部５７０、又は情報処理装置５００に接続された外部の記憶媒体等に格納される。プロセッサ５５１は、例えば第１実施形態で示したプロセッサ１５１と同様の構成であってよいため、ここでは詳細な説明を省略する。制御部５５０は、測定装置４００から取得した、生体測定出力に関する情報に基づいて、被検者の血流量及びＳｐＯ２を算出してよい。制御部５５０は、取得した血流量及びＳｐＯ２、並びに温度（体温）の少なくともいずれかに基づいて、被検者の健康状態に関する推定をしてもよい。制御部５５０による、血流量及びＳｐＯ２の算出方法、並びに温度の取得方法、並びに健康状態の推定方法の詳細については、第１実施形態で説明したものと同様であるため、ここでは説明を省略する。
【００８５】
記憶部５７０は、半導体メモリ又は磁気メモリ等で構成されることができる。記憶部５７０は、各種情報や情報処理装置５００を動作させるためのプログラム等を記憶する。記憶部５７０は、ワークメモリとしても機能してもよい。記憶部５７０は、例えば、測定装置４００から取得した生体測定出力に関する情報を記憶してよい。記憶部５７０は、制御部５５０による血流量及びＳｐＯ２の算出、並びに温度の取得、並びに健康状態に関する推定に用いられる種々の情報を記憶してもよい。
【００８６】
通信部５８０は、測定装置４００及び端末装置６００と有線通信若しくは無線通信、又は有線通信及び無線通信の組合せの通信を行うことにより、各種情報の送受信を行う。例えば、通信部５８０は、測定装置４００から、生体測定出力に関する情報を受信する。また、例えば、通信部５８０は、情報処理装置５００が算出した血流量及びＳｐＯ２、取得した温度、並びに健康状態に関する推定の情報を端末装置６００に送信する。
【００８７】
端末装置６００は、制御部６５０と、報知部６６０と、記憶部６７０と、通信部６８０と、入力部６９０とを備える。
【００８８】
制御部６５０は、端末装置６００の各機能ブロックをはじめとして、端末装置６００の全体を制御及び管理する少なくとも１つのプロセッサ６５１を含む。制御部６５０は、制御手順を規定したプログラムを実行するＣＰＵ等の少なくとも１つのプロセッサ６５１を含んで構成され、その機能を実現する。このようなプログラムは、例えば記憶部６７０、又は端末装置６００に接続された外部の記憶媒体等に格納される。プロセッサ６５１は、例えば第１実施形態で示したプロセッサ１５１と同様の構成であってよいため、ここでは詳細な説明を省略する。制御部６５０は、情報処理装置５００から取得した血流量及びＳｐＯ２、並びに温度、並びに被検者の健康状態に関する推定の情報を、報知部６６０から報知してよい。
【００８９】
報知部６６０は、音、振動、及び画像等で情報を報知する。報知部６６０の機能及び構成は、第１実施形態で説明した報知部１６０と同様であってよいため、ここでは詳細な説明を省略する。
【００９０】
記憶部６７０は、半導体メモリ又は磁気メモリ等で構成されることができる。記憶部６７０は、各種情報や端末装置６００を動作させるためのプログラム等を記憶する。記憶部６７０は、ワークメモリとしても機能してもよい。記憶部６７０は、例えば、情報処理装置５００から取得した血流量及びＳｐＯ２、並びに温度、並びに健康状態に関する推定の情報を記憶してよい。
【００９１】
通信部６８０は、情報処理装置５００と有線通信若しくは無線通信、又は有線通信及び無線通信の組合せの通信を行うことにより、各種情報の送受信を行う。例えば、通信部６８０は、情報処理装置５００から、血流量及びＳｐＯ２、並びに温度、並びに健康状態に関する推定の情報を受信する。
【００９２】
入力部６９０は、端末装置６００のユーザ（例えば被検者）からの操作入力を受け付けるものであり、例えば、操作ボタン（操作キー）から構成される。入力部６９０をタッチパネルにより構成し、表示デバイスの一部にユーザからの操作入力を受け付ける操作キーを表示して、ユーザによるタッチ操作入力を受け付けてもよい。
【００９３】
図７は、測定システム３００による制御手順の一例を示すシーケンス図である。図７に示す処理は、例えば、測定装置４００が起動された場合又は測定処理を開始するための所定の操作入力が行われた場合に実行される。測定装置４００の制御部４５０が、被検部位が測定部に接触しているか否かを検出可能な機能を備える場合には、被検部位が測定部に接触していると判断した場合に、図７に示す処理が実行されてもよい。
【００９４】
測定装置４００は、第１レーザ光源４２１から第１レーザ光を射出する（ステップＳ２０１）。
【００９５】
測定装置４００は、第２レーザ光源４２２から第２レーザ光を射出する（ステップＳ２０２）。
【００９６】
測定装置４００は、第１受光部４３１及び第２受光部４３２から生体測定出力を取得する（ステップＳ２０３）。
【００９７】
測定装置４００は、温度センサ４４０から被検者の温度（体温）を検出する（ステップＳ２０４）。
【００９８】
測定装置４００は、通信部４８０を介して、取得した生体測定出力に関する情報、及び検出した温度の情報を、情報処理装置５００に送信する（ステップＳ２０５）。
【００９９】
情報処理装置５００は、測定装置４００から生体測定出力に関する情報及び温度の情報を取得すると、生体測定出力に基づいて、第１の値及び第２の値を算出する（ステップＳ２０６）。
【０１００】
情報処理装置５００は、ステップＳ２０６で算出した第１の値及び第２の値に基づき、ＳｐＯ２を算出する（ステップＳ２０７）。
【０１０１】
情報処理装置５００は、血流量（つまり第２の値）、ＳｐＯ２、及び温度の少なくともいずれかに基づいて、被検者の健康状態に関する推定をする（ステップＳ２０８）。
【０１０２】
情報処理装置５００は、血流量及びＳｐＯ２、並びに温度、並びに健康状態に関する推定の情報を、通信部５８０を介して端末装置６００に送信する（ステップＳ２０９）。
【０１０３】
端末装置６００は、情報処理装置５００から血流量及びＳｐＯ２、並びに温度、並びに健康状態に関する推定の情報を取得すると、取得したこれらの情報を、報知部６６０から報知する（ステップＳ２１０）。
【０１０４】
本実施形態では、測定装置４００の生体センサ４１０が第１実施形態の生体センサ１１０と同じ構成を有する場合について説明した。しかしながら、生体センサ４１０は、第２実施形態の生体センサ２１０と同じ構成を有していてもよい。
【０１０５】
本実施形態では、情報処理装置５００が、血流量及びＳｐＯ２を算出し、また温度を取得して、健康状態に関する推定をすると説明した。しかしながら、例えば測定装置２００が、血流量及びＳｐＯ２の算出処理、温度の取得処理、並びに健康状態に関する推定処理を実行してもよい。この場合、測定装置４００は、血流量及びＳｐＯ２の算出結果、温度の取得結果、並びに健康状態に関する推定結果を情報処理装置５００に送信してよい。また、測定システム３００は、情報処理装置５００を備えていなくてもよい。この場合、測定装置４００が、血流量及びＳｐＯ２の算出結果、並びに検出した温度、並びに健康状態に関する推定の結果を端末装置６００に送信してもよい。
【０１０６】
このように、本実施形態に係る測定システム３００においても、レーザ光を被検部位に射出してＳｐＯ２が算出されるため、例えば広波長帯域の光が用いられる場合と比較して、ＳｐＯ２の測定精度が向上する。また、測定システム３００も、被検者のチアノーゼのような健康状態に関する推定を、複数の検出結果を総合することにより行うことができる。このようにして、測定システム３００によれば、有用性が向上するのみならず、被検者の健康状態を推定する際の利便性を高めることができる。
【０１０７】
本開示を完全かつ明瞭に開示するためにいくつかの実施形態に関し説明してきた。しかし、添付の請求項は、上記実施形態に限定されるべきものでなく、本明細書に示した基礎的事項の範囲内で当該技術分野の当業者が創作し得る全ての変形例及び代替可能な構成を具現化するように構成されるべきである。また、いくつかの実施形態に示した各要件は、自由に組み合わせが可能である。
【０１０８】
上記各実施形態で説明した測定装置（測定装置１００、２００及び４００）は、種々の装置に搭載することができる。
【０１０９】
例えば、測定装置１００、２００又は４００は、脳血流を測定する脳血流計に搭載されてよい。脳血流計は、レーザ光を脳に射出して脳血流を測定する装置である。例えば図８に示すように、脳血流計７００は、被検者が帯状の測定部材を頭部に巻きつけて使用する。測定装置１００、２００又は４００は、測定部材に搭載されてよい。測定装置１００、２００又は４００が、脳血流計７００に搭載されている場合、被検者は、脳血流計７００の測定部材を頭部に巻きつけた状態で脳血流計７００を起動するとともに、測定装置１００、２００又は４００を起動することができる。これにより、被検者は、脳血流の測定と、血流量及びＳｐＯ２の測定とを同時に実行させることができる。この場合、温度センサ１４０、２４０又は４４０は、脳血流計７００に内蔵させてもよいし、脳血流計７００とは別に設けて脳血流計７００に接続されるようにしてもよい。また、この場合、脳血流計７００は、測定された脳血流、血流量、ＳｐＯ２及び検出された温度の少なくともいずれかに基づいて、被検者の健康状態に関する推定をすることができる。これにより、例えばＳｐＯ２のみから被検者の健康状態に関する推定をする場合と比較して、推定精度が高まる。
【０１１０】
例えば、測定装置１００、２００又は４００は、血圧を測定する血圧計に搭載されてよい。血圧計は、例えば、カフ（腕帯）を使用して上腕で血圧を測定する、周知の上腕式血圧計であってよい。例えば図９に示すように、血圧計８００は、被検者がカフを上腕に巻きつけて使用する。測定装置１００、２００又は４００は、カフに搭載されてよい。この場合、温度センサ１４０、２４０又は４４０は、血圧計８００のカフに内蔵させてもよいし、血圧計８００のカフとは別に設けて血圧計８００に接続されるようにしてもよい。測定装置１００、２００又は４００が、血圧計８００に搭載されている場合、被検者は、カフを上腕に巻きつけた状態で血圧計８００を起動するとともに、測定装置１００、２００又は４００を起動することができる。これにより、被検者は、血圧の測定と、血流量及びＳｐＯ２の測定と、温度の検出とを同時に実行させることができる。この場合、血圧計８００は、測定された血圧、血流量、ＳｐＯ２及び検出された温度の少なくともいずれかに基づいて、被検者の健康状態に関する推定をすることができる。これにより、ＳｐＯ２のみから被検者の健康状態に関する推定をする場合と比較して、推定精度が高まる。
【０１１１】
例えば、測定装置１００、２００又は４００は、体温を測定する体温計に搭載されてよい。例えば図１０に示すように、体温計９００は、人体の皮膚に接触させて皮膚温度を測定する。この場合、体温計９００は、温度センサ１４０、２４０又は４４０によって被検者の体温を測定してよい。測定装置１００、２００又は４００が、体温計９００に搭載されている場合、被検者は、体温計９００を皮膚に接触させて温度センサ１４０、２４０又は４４０によって体温を測定する場合に、測定装置１００、２００又は４００を起動することができる。これにより、被検者は、体温の測定と、血流量及びＳｐＯ２の測定とを同時に実行させることができる。この場合、体温計９００は、測定された体温、血流量及びＳｐＯ２に基づいて、被検者の健康状態に関する推定を行うことができる。これにより、ＳｐＯ２のみから被検者の健康状態に関する推定をする場合と比較して、推定精度が高まる。
【０１１２】
測定装置１００、２００又は４００は、脳血流計７００、血圧計８００及び体温計９００以外の、生体に関する情報を測定可能な各種の装置に搭載されてもよい。
【０１１３】
また、各実施形態の制御部は、血流量、ＳｐＯ２、温度の少なくともいずれかに基づいて、被検者の健康状態に関する推定をするものとして説明した。しかしながら、各実施形態の制御部は、血流量、ＳｐＯ２、温度の少なくともいずれかに基づいて、血圧、脱水症状、リラックス状態、自律神経の状態、心臓病などその他の症状を検出してもよい。また、この場合、制御部は、血流量、ＳｐＯ２、温度の少なくともいずれかの他に、呼吸数の算出値、及びＰＩの算出値にも基づいてもよい。
【０１１４】
上記実施形態では、生体センサ１１０、２１０及び４１０が検出を行う被検部位、及び／又は、温度センサ１４０、２４０及び４４０が検出を行う被検部位は、主として指である場合について説明した。しかしながら、上記実施形態において、被検部位は、必ずしも指でなくてもよい。例えば、図８で説明したように、被検部位は、被検者の額、側頭部若しくはこめかみ、又はこれらの近傍の部位としてもよい。また、例えば、図９で説明したように、被検部位は、被検者の上腕又は上腕の近傍の部位としてもよい。また、例えば、図１０で説明したように、被検部位は、被検者の額又は額の近傍の部位としてもよい。被検部位は、例えば上述したように、手首、腕、耳、額、首、背中及び足その他の部位又はこれらを任意に組み合わせた部位であってもよい。
【０１１５】
ここで、被検部位をこめかみ又はこめかみの近傍とした場合における、測定装置の具体的な構成について説明する。図１１は、こめかみ又はこめかみの近傍を被検部位とする測定装置を備える測定器具１０００の装着状態の一例を模式的に示す図である。測定器具１０００は、２つの保持部１００１と、２つの保持部１００１を結合するヘッドバンド１００２とを備える。
【０１１６】
２つの保持部１００１は、測定器具１０００の装着状態において、それぞれ被検者の左右のこめかみ又はこめかみの近傍に接触して、装着状態を維持する。保持部１００１は、測定器具１０００の装着状態において、被検者の耳を塞がない形状であってよい。例えば、保持部１００１は、耳の上側においてこめかみに接触する構造を有していてよい。この場合、測定器具１０００の装着状態においても、被検者の耳が塞がれないため、被検者は、周囲の音を聞くことができる。そのため、被検者の耳が塞がれる場合と比較して、被検者の安全性を確保しやすくなる。
【０１１７】
ヘッドバンド１００２は、例えば図１１に示すようにアーチ形状であってよい。測定器具１０００は、例えばヘッドバンド１００２が頭頂側に位置するように、被検者に装着される。ヘッドバンド１００２は、例えば被検者の頭部の大きさに合わせて長さ又は曲率を調節可能な機構を有していてよい。ヘッドバンド１００２は、例えばステンレス又はカーボンファイバ等の剛性を有する部材により構成されてよい。ヘッドバンド１００２は、測定器具１０００の装着状態において、２つの保持部１００１を人体側に押圧することにより、装着状態を維持してよい。
【０１１８】
２つの保持部１００１の少なくとも一方は、測定装置を備える。保持部１００１が備える測定装置は、例えば上記第１実施形態〜第３実施形態で説明した測定装置のいずれかであってよい。ここでは、保持部１００１は、第２実施形態で説明した測定装置２００を備える例について、以下説明する。
【０１１９】
図１２は、図１１に示す測定器具１０００の部分断面図であり、測定装置２００を備える保持部１００１を模式的に示す断面図である。図１２に示すように、保持部１００１は、測定装置２００を備える。測定装置２００は、第２実施形態で説明したように、第１レーザ光源２２１と、第２レーザ光源２２２と、受光部２３０とを備える。測定器具１０００の装着状態において、第１レーザ光源２２１及び第２レーザ光源２２２から射出されるレーザ光（測定光）は、浅側頭動脈に照射される。受光部２３０は、浅側頭動脈における、測定光に対する散乱光を受光する。すなわち、測定器具１０００では、浅側頭動脈における散乱光を用いて血流量及びＳｐＯ２が算出される。浅側頭動脈の血管は、例えば指先等の血管よりも太いため、生体情報の取得が、より容易である。また、浅側頭動脈の血管は、例えば指先等の血管よりも太いため、血流がより安定しやすい。そのため、浅側頭動脈に測定光を照射して生体情報を取得することで、より正確な血流量及びＳｐＯ２を測定可能である。また、図１２に示すように、温度センサ２４０は、被検者のこめかみの近傍に接触することで、被検者の温度（体温）を検出する。図１２に示す例の代替例として、温度センサ２４０は、測定装置２００に内蔵させずに、測定装置２００の外部に設置して測定装置２００などに接続されるようにしてもよい。
【０１２０】
図１２に示すように、測定装置２００は、接続部１００３を介してヘッドバンド１００２に接続されていてよい。接続部１００３は、ヘッドバンド１００２から測定装置２００に伝達される振動を低減させる低減部として機能する。接続部１００３は、例えばダンパとして機能する。接続部１００３は、振動を低減可能な弾性材料を含んで構成されていてよい。接続部１００３は、ばね、ゴム、シリコン樹脂、ゲル、布、スポンジ若しくは紙その他の部材又はこれらの任意の組合せにより構成されていてよい。接続部１００３は、例えば内部に流体（すなわち液体又は気体）を有する、流体封入式ダンパであってもよい。内部の流体は、例えば粘性を有する液体であってよい。接続部１００３を有することにより、ヘッドバンド１００２の振動が測定装置２００に伝達されにくくなる。そのため、被検部位に対する測定装置２００の位置が変化しにくくなる。これにより、測定装置２００は、より正確な血流量及びＳｐＯ２を測定しやすくなる。また、これにより、測定装置２００は、より正確な温度の検出もしやすくなる。
【０１２１】
なお、測定器具１０００において、保持部１００１が備える測定装置は、第２実施形態で説明した測定装置２００に限られず、例えば第１実施形態で説明した測定装置１００であってもよい。また、２つの保持部１００１のうち、一方は、第１実施形態で説明した第１レーザ光源１２１と第１受光部１３１とを備え、他方は、第１実施形態で説明した第２レーザ光源１２２と第２受光部１３２とを備えてもよい。また、測定器具１０００において、２つの保持部１００１のいずれもが温度センサ２４０を備えてもよいし、いずれか一方のみが温度センサ２４０を備えてもよい。測定器具１０００において２つの保持部１００１のいずれもが温度センサ２４０を備える場合、２つの温度センサ２４０が検出する温度の例えば平均を、被検者の体温としてもよい。
【０１２２】
上記実施形態では、生体センサが第１レーザ光源及び第２レーザ光源という２つのレーザ光源から、レーザ光を射出すると説明した。しかしながら、第１レーザ光源及び第２レーザ光源のうち一方を、例えばＬＥＤ（発光ダイオード：Light Emitting Diode）等、すなわちレーザ光源以外の他の光源により構成してもよい。第１レーザ光源に代えてＬＥＤ光源が用いられる場合、当該ＬＥＤ光源は赤色光を射出する。第２レーザ光源に代えてＬＥＤ光源が用いられる場合、当該ＬＥＤ光源は、近赤外光を射出する。レーザ光源に代えてＬＥＤ光源を使用する場合、制御部は、例えば、ＬＥＤ光源が射出する光の光量に対する受光部での受光強度に基づいて、上述した第１の値Ｐ１又は第２の値Ｐ２を算出する。例えば、第１レーザ光源に代えてＬＥＤ光源が用いられる場合、制御部は、当該ＬＥＤ光源が射出する光の光量に対する第１受光部での受光量に基づいて、第１の値Ｐ１を算出する。射出する光の光量に対する受光量の比率と、第１の値Ｐ１との関係は、例えば予めテーブルとして記憶部に記憶されていてよい。制御部は、当該テーブルを参照して第１の値Ｐ１を算出することができる。
【０１２３】
次に、被検部位をこめかみ又はこめかみの近傍とした場合における、測定装置の他の具体的な構成について説明する。
【０１２４】
図１３は、一実施形態に係る測定器具１１００の概略的な外観斜視図である。図１４は、図１３の測定器具１１００を異なる方向から見た場合における外観斜視図である。つまり、図１３及び図１４は、同一の測定器具１１００をそれぞれ異なる方向から見た場合における外観斜視図を示す。また、図１５は、生体センサ２１０が接続された状態の測定器具１１００を示す概略的な外観斜視図である。
【０１２５】
測定器具１１００は、被検者に装着された状態で使用される。本実施形態では、測定器具１１００が被検者の頭部に装着されるとして説明する。本実施形態に係る測定器具１１００は、特に被検者の耳介に装着される。測定器具１１００は、被検者の耳介に装着された状態で、被検者の生体情報を測定する。
【０１２６】
測定器具１１００は、第１の装着部１１１０Ｒと、第２の装着部１１１０Ｌと、結合部１１２０とを備える。第１の装着部１１１０Ｒは、被検者の右の耳介に装着される。つまり、測定器具１１００の装着時において、第１の装着部１１１０Ｒは、被検者の右の耳介の頭頂側のつけ根に接触し、測定器具１１００の装着状態を維持する。第２の装着部１１１０Ｌは、被検者の左の耳介に装着される。つまり、測定器具１１００の装着時において、第２の装着部１１１０Ｌは、被検者の左の耳介の頭頂側のつけ根に接触する。例えば図１６に示すように、被検者が測定器具１１００を装着した状態において、測定器具１１００は、耳介に装着された第１の装着部１１１０Ｒ及び第２の装着部１１１０Ｌにより支持される。
【０１２７】
第１の装着部１１１０Ｒ及び第２の装着部１１１０Ｌは、測定器具１１００の装着時にそれぞれ右の耳介及び左の耳介により支持されやすいように、図１３〜図１５に一例として示すように湾曲した形状を有していてよい。第１の装着部１１１０Ｒと第２の装着部１１１０Ｌとは、左右対称な形状であってよい。以下、第１の装着部１１１０Ｒと第２の装着部１１１０Ｌとを区別しない場合には、これらをまとめて装着部１１１０と記載する。
【０１２８】
結合部１１２０は、第１の装着部１１１０Ｒと第２の装着部１１１０Ｌとを結合する。結合部１１２０は、湾曲形状を有し、測定器具１１００の装着状態において被検者の後頭部側に位置するように構成されている。第１の装着部１１１０Ｒと、第２の装着部１１１０Ｌと、結合部１１２０とは、左右対称に構成されていてよい。
【０１２９】
結合部１１２０は、他の器具の頭部への装着を妨げない形状に形成されていてよい。例えば、被検者は、他の器具として、ヘルメット、メガネ又は帽子等を着用する場合がある。結合部１１２０は、被検者が測定器具１１００を装着していても、ヘルメット、メガネ又は帽子等を着用可能な形状に形成されていてよい。例えば、結合部１１２０は、測定器具１１００の着用状態において、被検者の後頭部よりも首側に配置されるように形成されていてよい。結合部１１２０は、頭頂部にかぶさるような形状にしてもよい。
【０１３０】
結合部１１２０には、測定器具１１００による測定処理を制御するための基板（例えば制御部２５０などを含む基板）を備える本体部１１３０が設けられている。すなわち、本体部１１３０は、結合部１１２０を介して装着部１１１０に結合されており、測定器具１１００の装着状態において装着部１１１０により支持される。本体部１１３０は、薄い板状であってよい。これにより、被検者は測定器具１１００を装着しやすくなる。また、これにより、測定器具１１００の装着状態において、本体部１１３０は被検者に違和感を与えにくくなる。
【０１３１】
図１３及び図１４に示すように、本体部１１３０には、温度センサ２４０が結合されている。温度センサ２４０は、測定器具１１００の装着状態において、被検者の乳突部側に付勢されるように構成されていてよい。例えば、温度センサ２４０は、ばねを介して本体部１１３０に結合されており、当該ばねの弾性力により乳突部側に付勢されるように構成されていてよい。ただし、温度センサ２４０は、ばね以外の他の機構により乳突部側に付勢されるように構成されていてもよい。温度センサ２４０が付勢される力は、例えば、測定器具１１００を装着する被検者が痛みを感じない程度であってよい。温度センサ２４０が付勢される力は、例えば、温度センサ２４０の先端部２４１が乳突部から離れない程度であってよい。
【０１３２】
本体部１１３０は、被検者の生体情報を測定可能なセンサを着脱可能なコネクタ１１５０を備える。コネクタ１１５０は、例えばメスコネクタとして構成されていてよい。コネクタ１１５０は、所定の規格に準じた形状を有していてよい。コネクタ１１５０には、例えば測定器具１１００による測定対象（又は推定対象）となる被検者の状態に応じて、所定の生体情報を測定可能な測定機器が接続されてよい。以下、コネクタ１１５０に生体センサ２１０が接続される態様について説明する。
【０１３３】
図１５は、コネクタ１１５０に生体センサ２１０が接続された状態の測定器具１１００を示す概略的な外観斜視図である。図１５に示すように、生体センサ２１０は、ケーブル２１１に接続され、ケーブル２１１はコネクタ２１２に接続されてよい。ケーブル２１１は、生体センサ２１０とコネクタ２１２とを結合する。コネクタ２１２は、生体センサ２１０を、測定器具１１００のコネクタ１１５０に接続可能にする。コネクタ２１２は、例えば測定器具１１００のコネクタ１１５０に着脱可能な形状のオスコネクタとして構成されていてよい。
【０１３４】
生体センサ２１０は、例えば被検部位を挟み込むことにより被検部位に装着可能に構成されていてよい。生体センサ２１０は、例えば被検部位である耳垂を挟み込むことにより耳垂に装着可能に構成されている。被検者は、例えば温度センサ２４０とは反対側の耳介の耳垂を被検部位として、生体情報を測定してよい。図１３乃至図１６に示す測定器具１１００を用いる場合、生体センサ２１０は、右耳の耳垂を被検部位として、生体情報を取得することができる。また、生体センサ２１０は、左耳の耳垂を被検部位として、生体情報を取得してもよいし、右耳及び左耳の双方の耳垂を被検部位として、生体情報を取得してもよい。
【０１３５】
再び図１３及び図１４を参照すると、結合部１１２０は、その一部にバッテリ保持部１１２１を備えていてよい。バッテリ保持部１１２１は、内部に、測定器具１１００が有する各種機能部を駆動するためのバッテリを備える。
【０１３６】
本体部１１３０とバッテリとは、結合部１１２０において、第１の装着部１１１０Ｒから右の耳介にかかる力と、第２の装着部１１１０Ｌから左の耳介にかかる力とが略等しくなるように配置されていてよい。つまり、本体部１１３０とバッテリとは、測定器具１１００の装着状態において、左右の重量バランスが略等しくなるように、結合部１１２０に配置されていてよい。ここで、略等しいとは、測定器具１１００を装着する被検者が、重量のバランスに関して違和感を覚えない程度の範囲を含む。つまり、略等しいとは、被検者が、測定器具１１００の装着状態において、左右の重量のバランスが取れていないと感じない範囲を含む。本体部１１３０とバッテリとは、例えば結合部１１２０において、左右の対応する位置に配置されていてよい。図１３及び図１４に示す例では、バッテリが第１の装着部１１１０Ｒの近傍に配置されており、本体部１１３０が第２の装着部１１１０Ｌの近傍に配置されている。
【０１３７】
本実施形態に係る測定器具１１００は、さらに、測定器具１１００を装着した被検者に音を聞かせる報知部２６０を備える。本実施形態において、報知部２６０は、装着部１１１０の、結合部１１２０に結合されていない先端側に設けられる。本実施形態において、報知部２６０は、測定器具１１００の装着状態において、被検者の和りょう又はこめかみに配置されるように構成されている。報知部２６０は、例えば人体への振動伝達により被検者に音を聞かせる、いわゆる骨伝導スピーカにより構成されていてよい。この場合、報知部２６０は、例えば本体部１１３０が備える制御部２５０からの制御信号に基づいて振動する。報知部２６０の振動が被検者の頭蓋骨に伝播することにより、被検者は音を聞くことができる。この場合、図１６に示すように、測定器具１１００は、被検者の耳を塞ぐことなく、被検者に音を聞かせることができるため、被検者は周囲の音を聞くことができる。報知部２６０は、測定器具１１００の装着状態において、被検者の側頭部、額その他の頭部、首部など身体のいずれかの任意の位置に配置されるように構成されてもよい。
【０１３８】
ただし、報知部２６０は、必ずしも骨伝導スピーカにより構成されていなくてもよい。報知部２６０は、音を空気振動により伝達させてユーザに伝える装置、例えばイヤホン又はスピーカ等により構成されていてもよい。この場合、報知部２６０は、制御部からの制御信号に基づいて、音を出力する。また、本開示では、骨伝導スピーカと音を空気振動により伝達させてユーザに伝える装置とを併用してもよい。つまり、報知部２６０は、骨伝導スピーカ及び空気振動により音を伝達させてユーザに伝える装置を任意に組み合わせたものでも良い。
【０１３９】
図１７は、報知部２６１をイヤホン又はスピーカ等により構成した場合に、被検者が測定器具１１００を装着した状態を示す図である。図１７に示す測定器具１１００は、図１６に示した測定器具１１００において、報知部２６０を報知部２６１に変更した点以外は、図１６に示した測定器具１１００と同様の構成である。先に図１６において説明したように、報知部２６０を骨伝導スピーカにより構成する場合、被検者に音を聞かせる際に、被検者の耳を塞ぐ必要はない。これに対し、報知部２６１をイヤホン又はスピーカ等により構成する場合、図１７に示すように、報知部２６１において音が出力される部位は、被検者の耳介又は外耳道孔に近接させてよい。例えば報知部２６１をスピーカにより構成する場合、報知部２６１において音が出力される部位が、被検者の耳介のいずれかの位置（例えば外耳道孔の付近）に当接するように構成してよい。また、例えば報知部２６１をイヤホンにより構成する場合、報知部２６１において音が出力される部位（例えばイヤーピース）の少なくとも一部が、被検者の外耳道孔に挿入されるように構成してもよい。図１７に示すように報知部２６１をイヤホン又はスピーカ等により構成する場合、被検者は、周囲の音を聞きにくくなる一方、報知部２６１から出力される音に没入し易くする。
【０１４０】
また、図１３及び図１４に示す例において、報知部２６０は、第１の装着部１１１０Ｒ及び第２の装着部１１１０Ｌの双方の先端側に設けられている。しかしながら、報知部２６１は、第１の装着部１１１０Ｒ及び第２の装着部１１１０Ｌのいずれか一方のみの装着部の先端側に設けられていてもよいし、装着部の先端側以外の測定器具１１００の任意の位置に設けられているとしてよい。
【０１４１】
また、一実施形態に係る測定器具１１００おいて、報知部１６０、報知部６６０、報知部２６０、及び報知部２６１は、例えば被検者のＳｐＯ２、血流量、及び体温など、上述した各測定結果の少なくともいずれかを報知できる。また、報知部１６０、報知部６６０、報知部２６０、及び報知部２６１は、被検者が例えばチアノーゼのような状態になる可能性に関する情報を報知してもよい。
【符号の説明】
【０１４２】
１００、２００、４００  測定装置
１１０、２１０、４１０  生体センサ
１２１、２２１、４２１  第１レーザ光源
１２２、２２２、４２２  第２レーザ光源
１３１、４３１  第１受光部
１３２、４３２  第２受光部
１４０、２４０、４４０  温度センサ
１５０、２５０、４５０、５５０、６５０  制御部
１５１、２５１、４５１、５５１、６５１  プロセッサ
１６０、２６０、２６１、４６０、６６０  報知部
１７０、２７０、４７０、５７０、６７０  記憶部
２１１  ケーブル
２１２  コネクタ
２３０  受光部
２４１  先端部
３００  測定システム
４８０、５８０、６８０  通信部
５００  情報処理装置
６００  端末装置
６８０  入力部
７００  脳血流計
８００  血圧計
９００  体温計
１０００  測定器具
１００１  保持部
１００２  ヘッドバンド
１００３  接続部
１１００  測定器具
１１１０  装着部
１１２０  結合部
１１２１  バッテリ保持部
１１３０  本体部
１１５０  コネクタ
【図１】
2019217151.tif 000003
【図２】
2019217151.tif 000004
【図３】
2019217151.tif 000005
【図４】
2019217151.tif 000006
【図５】
2019217151.tif 000007
【図６】
2019217151.tif 000008
【図７】
2019217151.tif 000009
【図８】
2019217151.tif 000010
【図９】
2019217151.tif 000011
【図１０】
2019217151.tif 000012
【図１１】
2019217151.tif 000013
【図１２】
2019217151.tif 000014
【図１３】
2019217151.tif 000015
【図１４】
2019217151.tif 000016
【図１５】
2019217151.tif 000017
【図１６】
2019217151.tif 000018
【図１７】
2019217151.tif 000019